【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
基端（１２１；２２１，３２１；４２１；５２１；６２１）と先端（１２５；２２５；３２５；４２５；５２５；６２５）とを有する長尺の本体（１０２；２０２；３０２；４０２；５０２；６０２）と、
前記本体内に含まれ、かつ本体の長手軸（Ｘ−Ｘ）に沿って延びる基部空洞（１０３；２０３；３０３；４０３；５０３；６０３）と、
長手軸（Ｘ−Ｘ）を横断する第一の軸（Ｙ−Ｙ）に沿って延びる横方向空洞（１０４；２０４；３０４；４０４；５０４；６０４）とを有し、
前記本体（１０２；２０２；３０２；４０２；５０２；６０２）は、基端に向けて開口し、それぞれ縫合糸（１６１，１６２，１６３）を受け入れ可能な少なくとも２本の縫合路（１８０，１８１，１８２；２８０，２８１，２８２；３８０，３８１，３８２；４８０、４３２a，４３２c；５８０，５７１a，５７２a，５７３a，５７１c，５７２c，５７３c；６８０，６８１，６８２）を有し、
前記横方向空洞（１０４；２０４；３０４；４０４；５０４；６０４）には前記基部空洞が開口している、縫合アンカー（１００；２００；３００；４００；５００；６００）であって、
横方向壁（１０５；２０５；３０５；４０５；５０５；６０５）と、
縫合糸（１６１，１６２，１６３）を通すための、各々の縫合路（１８０，１８１，１８２；２８０，２８１，２８２；３８０，３８１，３８２；４８０、４３２a，４３２c；５８０，５７１a，５７２a，５７３a，５７１c，５７２c，５７３c；６８０，６８１，６８２）のための別個の小穴（１１１，１１２，１１３；２１１，２１２，２１３；３１１，３１２，３１３；４１１，４１２，４１３；５１１，５１２，５１３；６１１，６１２）とをさらに有し、
前記横方向壁（１０５；２０５；３０５；４０５；５０５；６０５）は、少なくとも部分的に前記横方向空洞（１０４；２０４；３０４；４０４；５０４；６０４）内に配置され、かつ、長手軸（Ｘ−Ｘ）および長手軸（Ｘ−Ｘ）を横断する第二の軸（Ｚ−Ｚ）に沿って延びており、
前記小穴（１１１，１１２，１１３；２１１，２１２，２１３；３１１，３１２，３１３；４１１，４１２，４１３；５１１，５１２，５１３；６１１，６１２）は、前記横方向壁（１０５；２０５；３０５；４０５；５０５；６０５）を貫通し、他方、第一の軸（Ｙ−Ｙ）に平行な軸（Y１１１，Y１１２，Y１１３；Y２１１，Y２１２，Y２１３；Y３１１，Y３１２，Y３１３；Y４１１，Y４１２，Y４１３；Y５１１，Y５１２，Y５１３；Y６１１，Y６１２）に沿って延びており、その結果、前記アンカー（１００；２００；３００；４００；５００；６００）内にて位置決めされた縫合糸は、
前記長手軸（Ｘ−Ｘ）に沿って延びた第一の直線状ストランド（１６１a，１６２a，１６３a）と、
前記第一のストランドに平行な第二の直線状ストランド（１６１c，１６２c，１６３c）と、
前記小穴に形成され、前記第一のストランドと第二のストランドを結合する円弧（１６１b，１６２b，１６３b）とによってU字状をなすことを特徴とする縫合アンカー。
【請求項２】
前記横方向壁（１０５；２０５；３０５；４０５；５０５；６０５）は、長手軸（Ｘ−Ｘ）および第二の軸（Ｚ−Ｚ）を含む平面（Ｐｚ）内にて延びており、かつ互いに対して平行かつ第一の軸（Ｙ−Ｙ）に対して垂直な、２つの面（１５７，１５８；２５７，２５８；３５７，３５８；４５７，４５８；５５７，５５８；６５７，６５８）を有し、前記直線状ストランド（１６１a，１６２a，１６３a、１６１c，１６２c，１６３c）は、これら２つの面に沿って部分的に延びていることを特徴とする請求項１記載のアンカー（１００；２００；３００；４００；５００；６００）。
【請求項３】
前記横方向壁（１０５；２０５；３０５；４０５；５０５；６０５）は、前記横方向空洞（１０４；２０４；３０４；４０４；５０４；６０４）の先端面（１４１；２４１；３４１；４４１；５４１；６４１）から前記基部空洞（１０３；２０３；３０３；４０３；５０３；６０３）の方向に延びていることを特徴とする請求項１又は２のいずれかに記載のアンカー（１００；２００；３００；４００；５００；６００）。
【請求項４】
前記横方向壁（１０５；２０５）は、前記基部空洞（１０３；２０３）内において部分的に延びていることを特徴とする請求項１から３のいずれか１項に記載のアンカー（１００；２００）。
【請求項５】
少なくとも２個の小穴（１１１，１１２，１１３；２１１，２１２，２１３；３１１，３１２，３１３；４１１，４１２，４１３；５１１，５１２，５１３；６１１，６１２）は、前記横方向壁（１０５；２０５；３０５；４０５；５０５；６０５）内において、長手軸（Ｘ−Ｘ）の方向にずれていることを特徴とする請求項１から４のいずれか１項に記載のアンカー（１００；２００；３００；４００；５００；６００）。
【請求項６】
少なくとも２個の小穴（１１１，１１２，１１３；２１１，２１２，２１３；３１１，３１２，３１３；４１１，４１２，４１３；５１１，５１２，５１３；６１１，６１２）は、前記横方向壁（１０５；２０５；３０５；４０５；５０５；６０５）内において、第二の軸（Ｚ−Ｚ）の方向にずれていることを特徴とする請求項１から５のいずれか１項に記載のアンカー（１００；２００；３００；４００；５００）。
【請求項７】
本体（１０２；２０２；３０２；４０２；５０２）は、３本の縫合路（１８０，１８１，１８２；２８０，２８１，２８２；３８０，３８１，３８２；４８０，４３２a，４３２c；５８０，５７１a，５７２a，５７３a，５７１c，５７２c，５７３c）を含み、前記縫合路は、基端（１２１；２２１；３２１；４２１；５２１）に向けて開口していることを特徴とする請求項１から６のいずれか１項に記載のアンカー（１００；２００；３００；４００；５００）。
【請求項８】
３つの縫合路（１８０，１８１，１８２；２８０，２８１，２８２；３８０，３８１，３８２；４８０、４３２a，４３２c；５８０，５７１a，５７２a，５７３a，５７１c，５７２c，５７３c）と関連した３個の小穴（１１１，１１２，１１３；２１１，２１２，２１３；３１１，３１２，３１３；４１１，４１２，４１３；５１１，５１２，５１３）の軸（Y１１１，Y１１２，Y１１３；Y２１１，Y２１２，Y２１３；Y３１１，Y３１２，Y３１３；Y４１１，Y４１２，Y４１３；Y５１１，Y５１２，Y５１３）は、長手軸（Ｘ−Ｘ）および第二の軸（Ｚ−Ｚ）を含む平面（Ｐｚ）内において、二等辺三角形を規定することを特徴とする請求項７に記載アンカー（１００；２００；３００；４００；５００）。
【請求項９】
基部空洞（１０３；２０３；３０３；４０３；５０３；６０３）は、六角形状の横断面を有する第一の空洞部分（１３１；２３１；３３１；４３１；５３１；６３１）を有することを特徴とする請求項１から８のいずれか１項に記載のアンカー（１００；２００；３００；４００；５００；６００）。
【請求項１０】
基部空洞（４０３）は、２個のオリフィス（４３２a，４３２c）を備えた第二の空洞部分（４３２）を有し、前記オリフィスの各々は、矩形の断面を有し、かつそのオリフィスの最大寸法の長手壁は、対応する横方向壁（４０５）の長手面に平行であることを特徴とする請求項９に記載アンカー（４００）。
【請求項１１】
基部空洞（５０３）は、各々の小穴（５１１，５１２，５１３）に対し、２個のオリフィス（５７１a，５７１c，５７２a，５７２b，５７３a，５７３c）を備えた第二の空洞部分（５３２）をも有し、前記オリフィスは、長手軸（Ｘ−Ｘ）および第二の軸（Ｚ−Ｚ）を含む平面（Ｐｚ）に関して対称に配置され、各々は円形の横断面を有し、各々のオリフィスの軸は、本体の長手軸（Ｘ−Ｘ）に対して平行でありかつ第一の軸（Ｙ−Ｙ）に対して垂直であり、その一方で、対応する小穴（Y５１１，Y５１２，Y５１３）の軸と交差することを特徴とする請求項９に記載アンカー（５００）。
【請求項１２】
各々の小穴（１１１，１１２，１１３；２１１，２１２，２１３；３１１，３１２，３１３；４１１，４１２，４１３；５１１，５１２，５１３；６１１，６１２）は、長手軸（Ｘ−Ｘ）および第一の軸（Ｙ−Ｙ）を含む平面（Ｐｙ）における断面において、放物線形状の壁をなすことを特徴とする請求項１から１１のいずれか１項に記載のアンカー（１００；２００；３００；４００；５００；６００）。
【請求項１３】
本体（１０２；２０２；３０２；４０２；５０２；６０２）は一体であることを特徴とする請求項１から１２のいずれか１項に記載のアンカー（１００；２００；３００；４００；５００；６００）。
【請求項１４】
本体はポリマー、特にポリエーテルエーテルケトン（ＰＥＥＫ）よりなることを特徴とする請求項１から１３のいずれか１項に記載のアンカー。
【請求項１５】
本体は金属、特にチタン（Ｔｉ）よりなることを特徴とする請求項１から１３のいずれか１項に記載のアンカー。
【請求項１６】
少なくとも二つの前記小穴（１１１，１１２，１１３；２１１，２１２，２１３；３１１，３１２，３１３；４１１，４１２，４１３；５１１，５１２，５１３；６１１，６１２）は、前記本体の長手軸（Ｘ−Ｘ）に垂直な軸（Ｚ−Ｚ）と交差することを特徴とする請求項１から１５のいずれか１項に記載のアンカー。
【請求項１７】
前記二つの小穴（１１１，１１２，１１３；２１１，２１２，２１３；３１１，３１２，３１３；４１１，４１２，４１３；５１１，５１２，５１３；６１１，６１２）のそれぞれは、アンカーの面に開口部を有しており、該開口部のそれぞれは前記本体の長手軸（Ｘ−Ｘ）に垂直な軸（Ｚ−Ｚ）と交差することを特徴とする請求項１６に記載のアンカー。
【請求項１８】
前記二つの小穴（１１１，１１２，１１３；２１１，２１２，２１３；３１１，３１２，３１３；４１１，４１２，４１３；５１１，５１２，５１３；６１１，６１２）は、前記長手軸（Ｘ−Ｘ）に沿った向きにおける第一の位置において前記横方向壁（１０５；２０５；３０５；４０５；５０５；６０５）を貫通しており、第三の小穴（１１１，１１２，１１３；２１１，２１２，２１３；３１１，３１２，３１３；４１１，４１２，４１３；５１１，５１２，５１３；６１１，６１２）は、前記長手軸（Ｘ−Ｘ）に沿った向きにおける前記第一の位置から離間した第二の位置において前記横方向壁（１０５；２０５；３０５；４０５；５０５；６０５）を貫通していることを特徴とする請求項１から１７のいずれか１項に記載のアンカー。
【請求項１９】
前記横方向壁（１０５；２０５；３０５；４０５；５０５；６０５）は、先端から基端への長手方向の寸法を有しており、前記基端は前記横方向空洞（１０４；２０４；３０４；４０４；５０４；６０４）にあり、前記横方向壁（１０５；２０５；３０５；４０５；５０５；６０５）は両対向面を広げる厚さを有し、前記長手方向の寸法が前記厚さの少なくとも４倍以上であることを特徴とする請求項１から１８のいずれか１項に記載のアンカー。
【請求項２０】
さらに縫合糸（１６１，１６２，１６３）を有する請求項１から１９のいずれか１項に記載のアンカー。
【手続補正２】
【補正対象書類名】明細書
【補正対象項目名】００１７
【補正方法】変更
【補正の内容】
【００１７】
本発明のその他の特徴は、別個に、または組み合わせた形で、請求項２ないし２０に記載されている。